(57)【要約】      （修正有）【課題】防水性を備えるペンライトを提供する。【解決手段】ペンライトは、発光部３０を内部に有する、少なくとも一部が透光性の透光部１０及び接合部２０、発光部３０に電力を供給する複数の電池を収容して、接合部２０に着脱可能に連結する握持部４０、及び接合部２０と握持部４０との間に設けられるＯリング２２，２３を備える。Ｏリング２２，２３を間に設けて握持部４０を接合部２０に着脱可能に連結することで、接合部２０が内部に有する発光部３０及び握持部４０が収容する電池４４を防水することができる。【選択図】図４
0003200059.tif 000002
【実用新案登録請求の範囲】
【請求項１】
収容物を防水する防水ペンライトであって、
発光体を内部に有する、少なくとも一部が透光性の第１筐体と、
前記発光体に電力を供給する電源を収容して、前記第１筐体に着脱可能に一軸方向に連結する第２筐体と、
前記第１及び第２筐体との間に設けられる防水部材と、
を備える発光装置。
【請求項２】
前記第１及び第２筐体の一方は前記一軸方向に延びる凸部を有し、前記第１及び第２筐体の他方は前記凸部が挿入される凹部を有し、
前記防水部材は、前記凸部に嵌められる環状部材を有することを特徴とする、請求項１に記載の発光装置。
【請求項３】
前記第２筐体に、前記電源を、該電源が有する２つの電極を前記一軸方向の一側及び他側にそれぞれ向けて収容する空間と、該空間内で前記一軸方向に突出する突出部と、が形成され、
前記発光体は、前記第２筐体に収容された前記電源の前記２つの電極の一方に接触する第１端子と、前記２つの電極の他方に近接するとともに前記突出部の先端が当接する第２端子と、を有し、
前記凸部及び前記凹部は、前記凸部を前記凹部に挿入して前記突出部の先端を前記第２端子に当接した際に、前記第２端子と前記他方の電極との離間距離より大きい遊びを有することを特徴とする、請求項２に記載の発光装置。
【請求項４】
前記防水部材は、前記一軸方向に離間する複数の前記環状部材を有し、
前記複数の環状部材の少なくとも１つは、前記凸部及び前記凹部の遊びの範囲外に配されることを特徴とする、請求項３に記載の発光装置。
【考案の詳細な説明】
【技術分野】
【０００１】
本考案は、収容物を防水する防水ペンライトに関する。
【背景技術】
【０００２】
コンサート等の催し物の会場において、観客がペンライトのような発光装置を持ち、その電飾効果により会場の雰囲気を盛り上げる演出をすることがある。発光装置は、ＬＥＤのような発光素子、電池のような電源等を筒状の筐体に収容する（例えば、特許文献１参照）。ここで、催し物は屋外、すなわち雨天の中で開かれることもあるため、収容物を防水する必要がある。
【先行技術文献】
【特許文献】
【０００３】
【特許文献１】特開平９−２８２９０２号公報
【考案の概要】
【考案が解決しようとする課題】
【０００４】
本考案は、防水性を備える防水ペンライトを提供することを課題とする。
【課題を解決するための手段】
【０００５】
本考案は、収容物を防水する防水ペンライトであって、発光体を内部に有する、少なくとも一部が透光性の第１筐体と、発光体に電力を供給する電源を収容して、第１筐体に着脱可能に一軸方向に連結する第２筐体と、第１及び第２筐体との間に設けられる防水部材と、を備える発光装置である。
【０００６】
これによれば、防水部材を間に設けて第２筐体を第１筐体に着脱可能に連結することで、第１筐体が内部に有する発光体及び第２筐体が収容する電源を防水することができる。
【０００７】
本考案の発光装置は、第１及び第２筐体の一方は一軸方向に延びる凸部を有し、第１及び第２筐体の他方は凸部が挿入される凹部を有し、防水部材は、凸部に嵌められる環状部材を有することを特徴とする。
【０００８】
これによれば、環状部材を有する防水部材を第１及び第２筐体の一方が有する凸部に嵌め、その凸部を第１及び第２筐体の他方が有する凹部に挿入することで、防水部材が第１及び第２筐体との間に設けられる。
【０００９】
本考案の発光装置は、第２筐体に、電源を、該電源が有する２つの電極を一軸方向の一側及び他側にそれぞれ向けて収容する空間と、該空間内で一軸方向に突出する突出部と、が形成され、発光体は、第２筐体に収容された電源の２つの電極の一方に接触する第１端子と、２つの電極の他方に近接するとともに突出部の先端が当接する第２端子と、を有し、凸部及び凹部は、凸部を凹部に挿入して突出部の先端を第２端子に当接した際に、第２端子と他方の電極との離間距離より大きい遊びを有することを特徴とする。
【００１０】
これによれば、凸部及び凹部が、凸部を凹部に挿入して第２筐体の突出部の先端を発光体の第２端子に当接した際に、発光体の第１端子が第２筐体に収容された電源の一方の電極に接触したときの第２端子と他方の電極との離間距離より大きい遊びを有することで、さらに凸部を凹部に挿入することにより、第２筐体の突出部が第２端子を電源の他方の電極に押圧することで、発光体の第１及び第２端子が電源の２つの電極に接触する。それにより、電源の電力が発光体に供給されて、発光体が発光する。
【００１１】
本考案の発光装置は、防水部材は、一軸方向に離間する複数の環状部材を有し、複数の環状部材の少なくとも１つは、凸部及び凹部の遊びの範囲外に配されることを特徴とする。
【００１２】
これによれば、防水部材が一軸方向に離間する複数の環状部材を有し、それらのうちの少なくとも１つが凸部及び凹部の遊びの範囲外に配されることで、凸部を凹部から抜いて第２端子を電源の他方の電極から離間して発光体の発光を止めた状態において、少なくとも１つの環状部材が第１及び第２筐体の間に設けられて防水が維持される。
【考案の効果】
【００１３】
本考案のペンライトによれば、防水性を備えるペンライトを提供することが可能となる。
【図面の簡単な説明】
【００１４】
【図１】図１は、一実施形態に係るペンライトの全体構成を示す図である。
【図２】図２は、ペンライトの構成各部の構成を示す分解図である。
【図３】図３は、ペンライトを組み立てる手順を説明するための図である。
【図４】図４は、ペンライトを組み立てる手順を説明するための図である。
【図５】図５は、ペンライトを組み立てる手順を説明するための図である。
【考案を実施するための形態】
【００１５】
本考案の一実施形態について説明する。
【００１６】
図１に、本実施形態に係るペンライト１の全体構成を示す。図２に、ペンライト１の構成各部の構成を示す。ここで、図２（Ａ）は破線を用いて内部構成を示すとともに各部の全体構成を示し、図２（Ｂ）は内部構成を含んで各部の断面構成を示す。ペンライト１は、発光装置の一例であり、透光部１０、接合部２０、発光部３０、及び握持部４０を含んで構成される。
【００１７】
透光部１０は、後述する発光部３０が発する光を放出する部分であり、筐体１１及びＯリング１２を含む。
【００１８】
筐体１１は、例えば乳白色の透光性を有する合成樹脂を用いて内部空間１１ａを有する有底円筒形状に成形され、その基端には、後述する接合部２０に挿入される先細りの挿入部１１ｂ及び接合部２０への挿入を止める円錐台状のフランジ１１ｃが形成されている。挿入部１１ｂの外面には雄ネジ（不図示）が形成されている。
【００１９】
Ｏリング１２は、防水部材の一例であり、ゴムのような弾力を有する円環状のシール部材である。Ｏリング１２は、挿入部１１ｂの基端にフランジ１１ｃの下面に接して嵌められている。
【００２０】
接合部２０は、後述する発光部３０を保持する部分であり、筐体２１及び２つのＯリング２２，２３を有する。
【００２１】
筐体２１は、例えば白色等の不透明な合成樹脂を用いて図面上下方向に貫通する空間２１ａを有する筒状に成形されている。なお、空間２１ａの図面上側に、透光部１０の挿入部１１ｂが挿入される。筐体２１（の本体）は逆円錐台状に成形され、その下端に図面下方に延びる円筒形状の凸部２１ｂが形成されている。ここで、凸部２１ｂの内径は、本体下端の内径より小さく、これにより本体内に円環状の支持面２１ｃが形成される。筐体２１の本体の内面には、挿入部１１ｂの雄ネジが螺合する雌ネジ（不図示）が形成されている。凸部２１ｂの外面には、雄ネジ（不図示）が形成されている。
【００２２】
Ｏリング２２，２３は、防水部材の一例であり、ゴムのような弾力を有する円環状のシール部材である。Ｏリング２２は、凸部２１ｂの基端側に筐体２１の本体の下面に接して嵌められている。Ｏリング２３は、Ｏリング２２から図面下方に離間して凸部２１ｂに嵌められている。
【００２３】
なお、透光部１０及び接合部２０は、後述する発光部３０を内部に固定して一体的に構成されてもよい。
【００２４】
発光部３０は、光を発する部分であり、基板３１、３つの発光素子３２、及び２つの端子３３，３４を含む。
【００２５】
基板３１は、３つの発光素子３２及び２つの端子３３，３４が実装される板状の部材である。基板３１は、筐体２１の支持面２１ｃの外縁に等しい形状及び大きさの円形状、並びに筐体２１の本体の空間の深さ（筐体２１の図面上端から支持面２１ｃまでの距離）と透光部１０の挿入部１１ｂの長さとの差にほぼ等しい厚みを有する。基板３１が支持面２１ｃ上に支持されて筐体２１内に収容されることで、発光部３０が接合部２０に保持される。
【００２６】
３つの発光素子３２は、それぞれ異なる色の光を発する発光素子であり、一例として赤色、黄色、及び青色の波長の光を発するＬＥＤを採用することができる。３つの発光素子３２は、例えば基板に設けられた選択スイッチにより、３つの発光素子３２のいずれかを点灯する、一定の間隔で順に点灯する、或いはすべてを点灯することができる。
【００２７】
２つの端子３３，３４は、それぞれ、後述する電源の電極を３つの発光素子３２のそれぞれに接続する電極端子である。２つの端子３３，３４は、銅、アルミニウム等の金属を用いて構成される。端子３３は、基板３１の下面から突出する凸状に成形されている。電極３４は、基板３１から凸部２１ｂの内面に沿って下方に延び、内側に屈曲する鉤状に成形されている。なお、本実施形態では電源として複数のボタン型電池（単に電池と呼ぶ）が使用される。２つの端子３３，３４の離間距離、すなわち端子３３の突出端と端子３４の先端との間の距離は、複数の電池の厚みの和より若干大きい。
【００２８】
握持部４０は、使用者が手指により握り持つための部分であり、一例として接合部２０の筐体２１と同じ素材を用いて成形される筐体４１を含む。筐体４１は、胴部の上側が窪み、下側が膨らみ、下端が先細る形状を有する。また、筐体４１には、上側から下方に窪む凹部、すなわち下方に延びる円筒形状の空間４１ａが形成されている。この空間４１ａ内に、電源が収容される。筐体４１の内面には、接合部２０の凸部２１ｂの雄ネジが螺合する雌ネジ（不図示）が形成されている。筐体４１の内底中央には、空間４１ａ内で図面上方に突出する突出部４２が形成されている。
【００２９】
ペンライト１の組み立て手順について説明する。
【００３０】
まず、図３に示すように、接合部２０を透光部１０に連結する。ここで、図３（Ａ）は破線を用いて内部構成を示すとともに各部の全体構成を示し、図３（Ｂ）は内部構成を含んで各部の断面構成を示す。基板３１を接合部２０の支持面２１ｃ上に支持して発光部３０を接合部２０の筐体２１内に収容し、透光部１０の挿入部１１ｂを接合部２０の空間２１ａに挿入し、挿入部１１ｂの雄ネジ（不図示）を筐体２１の雌ネジ（不図示）に螺合する。接合部２０の筐体２１の上端がＯリング１２を介して透光部１０のフランジ１１ｃに当接することで、透光部１０に対して接合部２０が位置決めされる。これとともに、挿入部１１ｂの先端が基板３１の表面を押圧して、発光部３０を接合部２０内に固定する。
【００３１】
次に、図４に示すように、握持部４０を接合部２０に連結する。ここで、図４（Ａ）は破線を用いて内部構成を示すとともに各部の全体構成を示し、図４（Ｂ）は内部構成を含んで各部の断面構成を示す。複数（本実施形態では５つ）の電池４４を直列して、２つの端子３３，３４の間に入れる。このとき、電池４４の図面上側の電極が端子３３に当接し、電池４４の図面下側の電極が端子３４に僅かな離間距離を隔てて近接する。
【００３２】
この状態において、接合部２０の凸部２１ｂを握持部４０の空間４１ａ内に挿入し、凸部２１ｂの雄ネジ（不図示）を握持部４０の雌ネジ（不図示）に螺合する。それにより、接合部２０の凸部２１ｂがその下側に嵌められたＯリング２３を介して握持部４０に嵌入し、突出部４２の先端が端子３４に当接する。このとき、握持部４０の筐体４１の上端と接合部２０の本体の下端は、端子３４と複数の電池４４との間の離間距離より大きい距離離間する。すなわち、接合部２０（の凸部２１ｂ）と握持部４０（の空間４１ａ）とは、端子３４と複数の電池４４との間の離間距離より大きい遊びを有する。この状態では、端子３４は複数の電池４４の電極に当接せず、発光素子３２は点灯しない。
【００３３】
最後に、図５に示すように、さらに、接合部２０の凸部２１ｂの雄ネジ（不図示）を握持部４０の雌ネジ（不図示）に螺合する。ここで、図５（Ａ）は破線を用いて内部構成を示すとともに各部の全体構成を示し、図５（Ｂ）は内部構成を含んで各部の断面構成を示す。それにより、凸部２１ｂがさらに上側に嵌められたＯリング２２を介して握持部４０に嵌入し、握持部４０の筐体４１の上端が接合部２０の本体の下面に当接することで、接合部２０に対して握持部４０が位置決めされる。これと同時に、突出部４２の先端が端子３４を押圧してこれを複数の電池４４の電極に当接する。それにより、発光素子３２が点灯する。
【００３４】
なお、Ｏリング２２，２３は、凸部２１ｂが延びる方向に離間し、それらの一方、すなわちＯリング２３は接合部２０（の凸部２１ｂ）と握持部４０（の空間４１ａ）の遊びの範囲外に、他方、すなわちＯリング２２は遊びの範囲内に配されている。凸部２１ｂを空間４１ａから抜いて端子３４を電池４４の電極から離間して発光部３０を消灯した状態においても、少なくとも一方のＯリング２３が接合部２０と握持部４０との間に設けられて防水が維持される。
【００３５】
なお、ペンライト１を消灯するときは、接合部２０の凸部２１ｂの雄ネジ（不図示）を握持部４０の雌ネジ（不図示）から逆方向に螺合して（すなわち、緩めて）、接合部２０と握持部４０とを離間する。それにより、突出部４２の先端が下方に変位し、端子３４が複数の電池の電極から離間して、発光素子３２が消灯する。このとき、接合部２０の凸部２１ｂはＯリング２３を介して握持部４０に嵌合している。それにより、ペンライト１の消灯時においても防水性が維持される。
【００３６】
なお、ペンライト１の電池４４を交換するときは、接合部２０の凸部２１ｂの雄ネジ（不図示）を握持部４０の雌ネジ（不図示）からさらに逆方向に螺合して（すなわち、緩めて）、接合部２０から握持部４０を外す。
【００３７】
以上詳細に説明したように、本実施形態のペンライト１は、発光部３０を内部に有する、少なくとも一部が透光性の透光部１０及び接合部２０、発光部３０に電力を供給する複数の電池４４を収容して、接合部２０に着脱可能に連結する握持部４０、及び接合部２０と握持部４０との間に設けられるＯリング２２，２３を備える。Ｏリング２２，２３を間に設けて握持部４０を接合部２０に着脱可能に連結することで、接合部２０が内部に有する発光部３０及び握持部４０が収容する電池４４を防水することができる。
【００３８】
また、本実施形態のペンライト１は、接合部２０が一軸方向に延びる凸部２１ｂを有し、握持部４０が一軸方向に凸部２１ｂが挿入される凹部、すなわち空間４１ａを有し、凸部２１ｂにＯリング２２，２３が嵌められる。接合部２０の凸部２１ｂを握持部４０の空間４１ａに挿入することで、Ｏリング２２，２３が接合部２０と握持部４０との間に設けられ、防水性が得られる。なお、握持部４０に一軸方向に延びる凸部を設け、接合部２０に凸部２１ｂが一軸方向に挿入される凹部或いは空間を設けることとしてもよい。
【産業上の利用可能性】
【００３９】
本考案のペンライトは、湿度の高い環境において使用するのに好適である。
【符号の説明】
【００４０】
１    ペンライト
１０    透光部
１１    筐体
１１ａ  内部空間
１１ｂ  挿入部
１１ｃ  フランジ
１２    Ｏリング
２０    接合部
２１    筐体
２１ａ  空間
２１ｂ  凸部
２１ｃ  支持面
２２    Ｏリング
２３    Ｏリング
３０    発光部
３１    基板
３２    発光素子
３３    端子
３４    端子
４０    握持部
４１    筐体
４１ａ  空間
４２    突出部
４４    電池
【図１】
0003200059.tif 000003
【図２】
0003200059.tif 000004
【図３】
0003200059.tif 000005
【図４】
0003200059.tif 000006
【図５】
0003200059.tif 000007